(57)【要約】【課題】原稿読み取り駆動系とコピー用紙の駆動系が独立した駆動系となり、機構が複雑で、装置自体も大きくなってしまう印刷複合機に対し、コンパクトな駆動系の印刷複合機を提供する。【解決手段】原稿の読み取りの為の駆動系と、印刷するためのコピー用紙の駆動系との一部を共用して使うことにより、更には両面読み取り、印刷機構の装置に於いては、両面読み取りの原稿反転機構、両面印刷の為のコピー用紙の反転機構を共用化して使用することにより、駆動機構を簡便にし、装置自体を小型化にし、低価格化を図った印刷複合機を提供する。 【選択図】      図１（ａ）-（ｃ）
2015095694.tif 000002
【特許請求の範囲】
【請求項１】
原稿の読み取りとコピー用紙への印刷を行う印刷複合機に於いて、原稿の読み取りの為の駆動系の一部と、コピー用紙への印刷する為の駆動系との一部とを、共用して使う構造であることを特徴とする印刷複合機。
【請求項２】
前記両面印刷機能原稿の読み取り駆動系と、前記コピー用紙への印刷駆動系は、両面読み取りの為の原稿反転機構、両面印刷の為のコピー用紙の反転機構を共用化したことを特徴とする請求項１記載の印刷複合機。
【請求項３】
読み取るべき原稿の挿入ガイド、読み取り後の原稿の排出ガイドが、印刷複合機の筐体から張り出した手前ないし奥側に形成したことを特徴とする請求項１記載の印刷複合機。
【請求項４】
印刷すべきコピー用紙の挿入ガイド、印刷後のコピー用紙の排出ガイドが、印刷複合機の筐体から張り出した手前ないし奥側に形成したことを特徴とする請求項３記載の印刷複合機。
【請求項５】
印刷すべきコピー用紙が印刷複合機の筐体内に配置された用紙トレーから供給され、印刷後のコピー用紙の排出ガイドが、印刷複合機の筐体から張り出した手前ないし奥側に形成したことを特徴とする請求項１記載の印刷複合機。
【請求項６】
読み取るべき原稿が印刷複合機の筐体内に配置された用紙トレーから供給され、読み取り後の原稿の排出ガイドが、印刷複合機の筐体から張り出した手前ないし奥側に形成したことを特徴とする請求項１記載の印刷複合機。
【請求項７】
読み取るべき原稿と印刷すべきコピー用紙が互いに重なって挿入ガイドにセットされ、同時に筐体内に取り込まれ、原稿の読み取りと、用紙への印刷が並行して行われ、読み取られた原稿と印刷された用紙が互いに重なって、排出ガイドへ排出されることを特徴とする請求項１記載の印刷複合機。
【請求項８】
印刷複合機の筐体内部にある、原稿の読み取りを行う密着モジュールの位置と、一部のガイドローラーの位置を可変にし、ガイドローラーで原稿を移動しながら、筐体天面に形成された開口部より原稿を密着モジュールで読み取り、印刷時には、密着モジュールの位置と、原稿の移動に使われた一部のガイドローラーの位置を移動させ、移動したガイドローラーでコピー用紙の移動を行い、印刷することを特徴とする請求項１記載の印刷複合機。
【請求項９】
印刷複合機の筐体内部にある、一部のガイドローラーの位置を可変にし、ガイドローラーで原稿を移動しながら、筐体天面に形成された開口部より原稿を密着モジュールで読み取り、印刷時には、原稿の移動に使われた一部のガイドローラーの位置を移動させ、移動したガイドローラーでコピー用紙の移動を行い、印刷することを特徴とする請求項１記載の印刷複合機。
【請求項１０】
印刷複合機の筐体天面に形成された開口部より密着モジュールで原稿を読み取る際に、原稿を原稿トレーに配置し、原稿トレーを一部のガイドローラーで移動したことを特徴とする請求項８ないし請求項９記載の印刷複合機。
【請求項１１】
印刷複合機の原稿読み取りを、レンズ縮小タイプの原稿読み取りモジュールを用いた方式で行うことを特徴とする請求項１記載の印刷複合機。
【請求項１２】
印刷複合機の用紙への印刷を感熱ヘッドタイプ若しくは、レーザータイプの印刷手法を用いた方式で行うことを特徴とする請求項１記載の印刷複合機。
【発明の詳細な説明】
【技術分野】
【０００１】
本発明は、印刷複合機の構造及びその動作方法に関する。
【背景技術】
【０００２】
印刷複合機は、印刷機能、原稿読み取り機能を組み合わせたコピー機能を有するために、パソコン（ＰＣ）向けの周辺機器として、家庭用に広く普及が進んでいる。一方、単体機能の印刷機や、原稿を読み取るだけのスキャナーはこの印刷複合機により駆逐されてきている。
【０００３】
印刷複合機で原稿読み取り機能を実現する為に、印刷複合機のカバーの下に有る、原稿を保持するする天面のガラス板の下を、密着型センサモジュール（以下密着モジュールと略す）が移動し、原稿読み取りを行うのが一般的である。従来は原稿をレンズにてイメージセンサに縮小投影し読み取るタイプも有ったが、光路長が長くなり、複合機自体が大きくなるため、数量が多い汎用タイプは密着モジュールタイプが主流である。
【０００４】
密着モジュールの構造としては、原稿を読み取る為のＣＣＤやＣＭＯＳのリニアセンサ、原稿を等倍でイメージセンサに結像するレンズアレー、原稿を一様に照明するための光導光体、光源としての色の３原色に対応したＬＥＤ、にて構成される。この密着モジュールの構造は特許文献１に例示されている。
【０００５】
従来の印刷複合機での原稿読み取りの場合、装置のカバー下に有るガラス天面とカバーの間に原稿を挟むようにセットし、この状態で密着モジュールがガラス天面下を移動し、原稿の表面の読み取りを行う。原稿の両面読み取りの際には、原稿を手動で反転させて再びガラス天面上にセットし、密着モジュールがガラス天面下を移動して、原稿の裏面の読み取りを行う。この原稿の反転の際に、上下左右の反転方向に留意しないと、読み取り向きが逆になる問題が有った。
【０００６】
従来の印刷複合機での上記原稿の両面読み取りの場合、装置のカバーを開閉し原稿を反転する手間以外に、原稿が複数枚有る場合には、その都度装置のカバーを開閉し、原稿を差し換える手間も必要となった。
【０００７】
従来の印刷複合機での原稿の両面読み取りを自動で行う場合には、装置のカバー内に原稿の反転機構を有する構造にする必要が有り、カバーの厚さが厚くなる為、装置全体の高さが高くなり、大型化する欠点が有った。
【０００８】
従来の印刷複合機での原稿の両面読み取りを自動で行う別の方法としては、装置のカバー内に密着モジュールの可動機構を設け、ガラス天面にセットされた原稿の裏面を、このカバー側の密着型モジュールで読み取る。一方、原稿の表面の読み取りは、原稿の下に有るガラス天面下を移動する別の密着モジュールで、原稿の表面の読み取りを行う。この様に原稿の両面同時読み取りが実現する。
【０００９】
上記の、従来の印刷複合機での原稿の両面読み取りを自動で行う別の方法としては密着モジュールが２つ必要になり、また原稿の自動差し替えを行う場合には、装置カバーに原稿差し替え機構を付加させる必要が有り装置が高価になってしまう。
【００１０】
上記の従来の両面同時読み取りタイプの印刷複合機では、可動機構を設けた密着モジュールの代わりに、原稿をレンズにてイメージセンサに縮小投影し読み取るタイプを用いても良い。しかしながら、これらの両面同時読み取りタイプの印刷複合機では、原稿読み取り装置が２つ必要になり、装置が高価になってしまうのと、装置自体が大きくなると言う問題点が生じ、汎用タイプの印刷複合機には不向きである。
【００１１】
上述したように従来の印刷複合機では、原稿の読み取りの為の駆動系は、原稿が静止した状態で行われ、原稿を読み取る為の密着モジュールの駆動系、ないしは、レンズでの縮小投影型駆動系の駆動系が必要となり、一方、印刷するためのコピー用紙の駆動系は読み取り駆動系とは独立した駆動系が必要となった。特に両面コピータイプでは、原稿とコピー用紙のそれぞれを反転させる駆動機構が必要であり、機構が複雑になる他、装置自体も大きくなってしまうという問題が有った。
【先行技術文献】
【特許文献】
【００１２】
【特許文献１】特開２００１−３５８９０４公報
【発明の概要】
【発明が解決しようとする課題】
【００１３】
本発明の目的は、原稿の読み取りの為の駆動系と、印刷するためのコピー用紙の駆動系との一部を共用して使うことにより、更には両面読み取り、印刷機構の装置に於いては、両面読み取りの原稿反転機構、両面印刷の為のコピー用紙の反転機構を共用化して使用することで、駆動機構を簡便にし、装置自体を小型化にし、低価格化を図った印刷複合機を提供する事に有る。
【課題を解決するための手段】
【００１４】
上記課題を解決するために、原稿の読み取りは、原稿を動かした状態で行われ、読み取り系の光学系は固定した状態にする。一方、印刷は、従来通りコピー用紙を動かした状態で行う。読み取り系の光学系は静止状態で、原稿読み取り時には原稿用紙の形で移動する為、コピー用紙の駆動系と共通化しやすい。原稿が厚い場合や本の様な場合には、駆動系を共通化し辛いが、駆動系や原稿読み取り部分を可動タイプにすることで、駆動系の一部の共有化は達成できる。
【発明の効果】
【００１５】
本発明によれば、印刷複合機に於いて、駆動系の簡素化が図られ、小型化、低価格化が実現できる、特に両面印刷タイプに於いて、原稿及びコピー用紙の反転機構を共通化する事により、小型、低コストの印刷複合機の提供が出来る。
【図面の簡単な説明】
【００１６】
【図１（ａ）−（ｃ）】図１（ａ）〜（ｃ）は、本発明の第１実施形態に係る原稿読み取り、原稿排出方法の説明図。
【図１（ｄ）−（ｆ）】図１（ｄ）〜（ｆ）は、本発明の第１実施形態に係る原稿読み取り、原稿排出方法の説明図。
【図１（ｇ）−（ｉ）】図１（ｇ）〜（ｉ）は、本発明の第１実施形態に係る原稿読み取り、原稿排出方法の説明図。
【図２（ａ）−（ｃ）】図２（ａ）〜（ｃ）は、本発明の第２実施形態に係る原稿読み取り、原稿排出方法の説明図。
【図２（ｄ）−（ｆ）】図２（ｄ）〜（ｆ）は、本発明の第２実施形態に係る原稿読み取り、原稿排出方法の説明図。
【図２（ｇ）−（ｉ）】図２（ｇ）〜（ｉ）は、本発明の第２実施形態に係る原稿読み取り、原稿排出方法の説明図。
【図３（ａ）−（ｃ）】図３（ａ）〜（ｃ）は、本発明の第３実施形態に係る用紙印刷、用紙排出方法の説明図。
【図３（ｄ）−（ｆ）】図３（ｄ）〜（ｆ）は、本発明の第３実施形態に係る用紙印刷、用紙排出方法の説明図。
【図３（ｇ）−（ｉ）】図３（ｇ）〜（ｉ）は、本発明の第３実施形態に係る用紙印刷、用紙排出方法の説明図。
【図４（ａ）−（ｃ）】図４（ａ）〜（ｃ）は、本発明の第４実施形態に係る用紙印刷、用紙排出方法の説明図。
【図４（ｄ）−（ｆ）】図４（ｄ）〜（ｆ）は、本発明の第４実施形態に係る用紙印刷、用紙排出方法の説明図。
【図４（ｇ）−（ｈ）】図４（ｇ）〜（ｈ）は、本発明の第４実施形態に係る用紙印刷、用紙排出方法の説明図。
【図５（ａ）−（ｃ）】図５（ａ）〜（ｃ）は、本発明の第５実施形態に係る用紙印刷、用紙排出方法の説明図。
【図５（ｄ）−（ｆ）】図５（ｄ）〜（ｆ）は、本発明の第５実施形態に係る用紙印刷、用紙排出方法の説明図。
【図５（ｇ）−（ｉ）】図５（ｇ）〜（ｉ）は、本発明の第５実施形態に係る用紙印刷、用紙排出方法の説明図。
【図６（ａ）−（ｄ）】図６（ａ）〜（ｄ）は、本発明の第６実施形態に係る原稿読み取り、用紙印刷、原稿、用紙排出方法の説明図。
【図７（ａ）−（ｄ）】図７（ａ）〜（ｄ）は、本発明の第７実施形態に係る原稿読み取り方法の説明図。
【図８（ａ）−（ｃ）】図８（ａ）〜（ｃ）は、原稿トレーの構造の説明図。
【図９（ａ）−（ｂ）】図９（ａ）、（ｂ）は、本発明の第８実施形態に係る原稿読み取り方法の説明図。
【図１０（ａ）−（ｂ）】図１０（ａ）、（ｂ）は、本発明の第９実施形態に係る原稿（本）読み取り方法の説明図。
【図１１（ａ）−（ｃ）】図１１（ａ）〜（ｃ）は、本発明の第１０実施形態に係る用紙印刷、用紙排出方法の説明図。
【図１１（ｄ）−（ｆ）】図１１（ｄ）〜（ｆ）は、本発明の第１０実施形態に係る用紙印刷、用紙排出方法の説明図。
【図１１（ｇ）−（ｉ）】図１１（ｇ）〜（ｉ）は、本発明の第１０実施形態に係る用紙印刷、用紙排出方法の説明図。
【発明を実施するための形態】
【００１７】
以下、本発明の実施形態に係る印刷複合機の構造及び動作方法について図面を参照しながら説明する。以下説明内において同一部分には同一の符号及び処理名を付し、最初にその詳細な説明をし、重複する同一部分の符号、説明は省略する。また図中の説明においては略号で示す。
＜第１の原稿読み取り実施形態＞
【００１８】
図１（ａ）〜（ｉ）は、本発明の第１の実施形態に係る印刷複合機の構造と、第１の原稿読み取りシーケンス、及び原稿排出方法の説明図である。図１（ａ）において、印刷複合機の筐体１には、奥側の原稿ガイド２と、手前側の原稿ガイド３が張り出している。図１（ａ）に於いては、原稿４が奥側の原稿ガイド２より取り込まれる。ここで、原稿４は両面読み取りを考慮し、表面４−１と裏面４−２を区別して表現する。
【００１９】
印刷複合機の筐体１の内部には、図１（ａ）に示す様に、原稿やコピー用紙（以下用紙と称す）を移動させるための複数のガイドローラー５、原稿を読み取る為の密着モジュール６、用紙に印刷をするための印刷ヘッド７が有る。印刷ヘッド７はインクジェットノズル部７−１とインクカートリッジ７−２より構成される。更に原稿や用紙を反転させるための反転ローラー８が内在している。図１（ａ）に示す印刷複合機の構造を第１の実施形態に係る印刷複合機の構造と称する。
【００２０】
印刷複合機の筐体１の内部に、奥側の原稿ガイド２よりガイドローラー５で取り込まれた原稿４は、密着モジュール６に沿って移動することで、原稿の裏面４−２の読み取りが行われる。図１（ａ）は原稿読み取りの最初の状態、図１（ｂ）は原稿読み取りの最終に近い段階を示す。
以下の説明では、図に示される構成要素の番号は、再出の場合には一般的に割愛することとする。
【００２１】
印刷複合機の筐体１の内部にて、原稿４はガイドローラー５で方向を変えられ、更に引き込まれ（図１（ｃ））、次に、ガイドローラー５で移動方向を変えられ、反転ローラー８に送られる（図１（ｄ））。ここで原稿４の表面４−１と裏面４−２は図中のようになる。原稿４は反転ローラー８の周りを回転する（図１（ｅ））。更に反転ローラー８から送り出された原稿４はガイドローラー５で密着モジュール６に沿って進み、原稿の表面４−１の読み取りが行われる図１（ｆ）。この様に、奥側の原稿ガイド２から原稿を取り込んだ原稿両面読み取り方式を第１の原稿読み取り実施形態という。
【００２２】
印刷複合機の筐体１の内部にて、両面読み取りが完了した原稿４はガイドローラー５にて所定位置に移動（図１（ｇ））した後に、ガイドローラー５で外部に排出される。ここでは排出される位置が奥側の原稿ガイド２に原稿４が排出される場合（図１（ｈ））と、手前側の原稿ガイド３に原稿４が排出される場合（図１（ｉ））の２つに付き図示している。図１（ｈ）に示す様に、排出された原稿４は、表面４−１、裏面４−２が、図１（ａ）に示される原稿挿入時と反転している。
＜第２の原稿読み取り実施形態＞
【００２３】
図２（ａ）〜（ｉ）は、本発明の第１の実施形態に係る印刷複合機の構造と、第２の原稿読み取りシーケンス、及び原稿排出方法の説明図である。図２（ａ）において、図１（ａ）同様、印刷複合機の筐体１には、奥側の原稿ガイド２と、手前側の原稿ガイド３が張り出している。図２（ａ）に於いては、原稿４が手前側の原稿ガイド３より取り込まれる。ここで、図１と同様に、原稿４は両面読み取りを考慮し、表面４−１と裏面４−２を区別して表現する。
【００２４】
印刷複合機の筐体１の内部には、図２（ａ）に示す様に、原稿やコピー用紙（以下用紙と称す）を移動させるための複数のガイドローラー５、原稿を読み取る為の密着モジュール６、用紙に印刷をするための印刷ヘッド７、更に原稿や用紙を反転させるための反転ローラー８が内在しており、これは図１（ａ）に示す第１の実施形態に係る印刷複合機の構造と同じである。
【００２５】
印刷複合機の筐体１の内部に、手前側の原稿ガイド３よりガイドローラー５で取り込まれた原稿４は、ガイドローラー５で移動方向を変えられ、反転ローラー８に送られる（図２（ｂ））。原稿４は反転ローラー８の周りを回転し、更に反転ローラー８から送り出された原稿４はガイドローラー５で密着モジュール６に沿って進み、原稿の表面４−１の読み取りが行われる図２（ｃ）。図２（ｃ）は原稿読み取りの最終段階を示す。
【００２６】
印刷複合機の筐体１の内部にて、原稿４はガイドローラー５で方向を変えられ、更に引き込まれ（図２（ｄ））、次に、ガイドローラー５で移動方向を変えられ、反転ローラー８に送られる（図２（ｅ））。原稿４は反転ローラー８の周りを回転し、更に反転ローラー８から送り出された原稿４はガイドローラー５で密着モジュール６に沿って進み、原稿の裏面４−２の読み取りが行われる図２（ｆ）。図２（ｆ）は原稿読み取りの最終段階を示す。この様に、手前側の原稿ガイド３から原稿を取り込んだ原稿両面読み取り方式を第２の原稿読み取り実施形態という。
【００２７】
印刷複合機の筐体１の内部にて、両面読み取りが完了した原稿４はガイドローラー５にて所定位置に移動（図２（ｇ））した後に、ガイドローラー５で外部に排出される。ここでは排出される位置が手前側の原稿ガイド３に原稿４が排出される場合（図２（ｈ））と、奥側の原稿ガイド２に原稿４が排出される場合（図２（ｉ））との２つに付き図示している。
＜第１の用紙印刷実施形態＞
【００２８】
図３（ａ）〜（ｉ）は、本発明の第１の実施形態に係る印刷複合機の構造と、第１の用紙印刷シーケンス、及び原稿排出方法の説明図である。図３（ａ）において、図１（ａ）同様、印刷複合機の筐体１には、奥側の原稿ガイド２と、手前側の原稿ガイド３が張り出している。図３（ａ）においては、コピー用紙（以下用紙と称す）９が奥側の原稿ガイド２より取り込まれる。ここで、用紙９は両面印刷を考慮し、表面９−１と裏面９−２を区別して表現する。
【００２９】
印刷複合機の筐体１の内部には、図３（ａ）に示す様に、原稿や用紙を移動させるための複数のガイドローラー５、原稿を読み取る為の密着モジュール６、用紙に印刷をするための印刷ヘッド７、更に原稿や用紙を反転させるための反転ローラー８が内在しており、印刷ヘッド７はインクジェットノズル部７−１とインクカートリッジ７−２より構成される。これは図１（ａ）に示す第１の実施形態に係る印刷複合機の構造と同じであり、反転ローラー８、ガイドローラー５は原稿読み取り時にも、用紙印刷時にも共通して用いられる。
【００３０】
印刷複合機の筐体１の内部に、奥側の原稿ガイド２よりガイドローラー５、反転ローラー８で取り込まれた用紙９は、密着モジュール６に沿って移動する（図３（ａ））。更に用紙９はガイドローラー５で方向を変えられ、印刷ヘッド７のインクジェットノズル部７−１に沿って進む。この際に用紙表面９−１への印刷が始まる（図３（ｂ））。図３（ｂ）は用紙表面印刷の最初の状態、図３（ｃ）は用紙表面印刷の最終段階を示す。
【００３１】
印刷複合機の筐体１の内部にて、用紙９はガイドローラー５で移動方向を変えられ、反転ローラー８に送られる（図３（ｄ））。用紙９は反転ローラー８の周りを回転する（図３（ｅ））。更に反転ローラー８から送り出された用紙９はガイドローラー５で方向を変えられ、印刷ヘッド７のインクジェットノズル部７−１に沿って進む。この際に用紙裏面９−２への印刷が始まる（図３（ｆ））。図３（ｆ）は用紙裏面印刷の最初の状態、図３（ｇ）は用紙裏面印刷の最終段階を示す。この様に、奥側の原稿ガイド２から用紙を取り込んだ用紙両面印刷方式を第１の用紙印刷実施形態という。
【００３２】
印刷複合機の筐体１の内部にて、両面印刷が完了した用紙９はガイドローラー５で外部に排出される。ここでは排出される位置が奥側の原稿ガイド２に用紙９が排出される場合（図３（ｈ））と、手前側の原稿ガイド３に用紙９が排出される場合（図３（ｉ））との２つに付き図示している。
＜第２の用紙印刷実施形態＞
【００３３】
図４（ａ）〜（ｈ）は、本発明の第１の実施形態に係る印刷複合機の構造と、第２の用紙印刷シーケンス、及び原稿排出方法の説明図である。図４（ａ）において、図１（ａ）同様、印刷複合機の筐体１には、奥側の原稿ガイド２と、手前側の原稿ガイド３が張り出している。図４（ａ）においては、用紙９が手前側の原稿ガイド３より取り込まれる。ここで、原稿９は両面印刷を考慮し、表面９−１と裏面９−２を区別して表現する。
【００３４】
印刷複合機の筐体１の内部には、図４（ａ）に示す様に、原稿や用紙を移動させるための複数のガイドローラー５、原稿を読み取る為の密着モジュール６、用紙に印刷するための印刷ヘッド７、更に原稿や用紙を反転させるための反転ローラー８が内在し、印刷ヘッド７はインクジェットノズル部７−１とインクカートリッジ７−２より構成される。これは図１（ａ）に示す第１の実施形態に係る印刷複合機の構造と同じである。
【００３５】
印刷複合機の筐体１の内部に、手前側の原稿ガイド３より取り込まれた用紙９は、ガイドローラー５で移動し、印刷ヘッド７方向へ移動する（図４（ａ））。ガイドローラー５で移動された用紙９はインクジェットノズル部７−１に沿って進む。この際に用紙表面９−１への印刷が始まる（図４（ｂ））。表面印刷が完了した用紙はガイドローラー５で反転ローラー８に送られる（図４（ｃ））。
【００３６】
用紙９は反転ローラー８の周りを回転し用紙反転が行われる（図４（ｄ））。反転ローラー８から送り出された用紙９はガイドローラー５で方向を変えられ、印刷ヘッド７のインクジェットノズル部７−１に沿って進む。この際に用紙裏面９−２への印刷が始まる（図４（ｅ））。図４（ｅ）は用紙裏面印刷の最初の状態、図４（ｆ）は用紙裏面印刷の最終段階を示す。この様に、手前側の原稿ガイド３から用紙を取り込んだ用紙両面印刷方式を第２の用紙印刷実施形態という。
【００３７】
印刷複合機の筐体１の内部にて、両面印刷が完了した用紙９はガイドローラー５で外部に排出される。ここでは排出される位置が、手前側の原稿ガイド３に用紙９が排出される場合（図４（ｇ））と、奥側の原稿ガイド２に用紙９が排出される場合（図４（ｈ））との２つに付き図示している。
＜第３の用紙印刷実施形態＞
【００３８】
図５（ａ）〜（ｉ）は、本発明の第１の実施形態に係る印刷複合機の構造と、第３の用紙印刷シーケンス、及び原稿排出方法の説明図である。図５（ａ）において、図１（ａ）同様、印刷複合機の筐体１には、奥側の原稿ガイド２と、手前側の原稿ガイド３が張り出している。図５（ａ）においては、印刷複合機の筐体１の内部には、用紙トレー１０が配置され、用紙トレー１０の内部には用紙９が積層されている。
【００３９】
図５（ａ）において、ガイドローラー５’にて、用紙トレー１０より用紙が引き出される。引き出された用紙９はガイドローラー５‘’にて反転ローラー８へ送られる（図５（ｂ））。更に用紙９はガイドローラー５で方向を変えられ、印刷ヘッド７のインクジェットノズル部７−１に沿って進む。この際に用紙裏面９−２への印刷が始まる（図５（ｃ））。図５（ｃ）は用紙表面印刷の最初の状態であり、図５（ｄ）は用紙表面印刷の最終段階を示す。
【００４０】
印刷複合機の筐体１の内部にて、用紙９はガイドローラー５で移動方向を変えられ、反転ローラー８に送られる（図５（ｅ））。用紙９は反転ローラー８の周りを回転し、更に反転ローラー８から送り出された用紙９はガイドローラー５で方向を変えられ、印刷ヘッド７のインクジェットノズル部７−１に沿って進む。この際に用紙表面９−１への印刷が始まる（図５（ｆ））。図５（ｆ）は用紙表面印刷の最初の状態、図５（ｇ）は用紙表面印刷の最終段階を示す。この様に、用紙トレー１０から用紙を取り込んだ用紙両面印刷方式を第３の用紙印刷実施形態という。
【００４１】
印刷複合機の筐体１の内部にて、両面印刷が完了した用紙９はガイドローラー５で外部に排出される。ここでは排出される位置が手前側の原稿ガイド３に用紙９が排出される場合（図５（ｈ））と、奥側の原稿ガイド２に用紙９が排出される場合（図５（ｉ））との２つに付き図示している。
＜原稿読み取りと用紙印刷の一括実施形態＞
【００４２】
図６（ａ）〜（ｄ）は、本発明の第１の実施形態に係る印刷複合機の構造と、原稿読み取りと用紙への印刷を一括で行うシーケンス、及び原稿と用紙の排出方法の説明図である。図６（ａ）において、印刷複合機の筐体１には、奥側の原稿ガイド２と、手前側の原稿ガイド３が張り出している。図６（ａ）に於いては、原稿４と用紙９が重なって、一括で奥側の原稿ガイド２より取り込まれる。
【００４３】
印刷複合機の筐体１の内部には、図６（ａ）に示す様に、原稿やコピー用紙（以下用紙と称す）を移動させるための複数のガイドローラー５、原稿を読み取る為の密着モジュール６、用紙に印刷をするための印刷ヘッド７が有る。印刷ヘッド７はインクジェットノズル部７−１とインクカートリッジ７−２より構成される。これは図１（ａ）に示す第１の実施形態に係る印刷複合機の構造と同じである。ガイドローラー５、反転ローラー８は原稿と印刷用紙の移動に共通して用いられる。
【００４４】
印刷複合機の筐体１の内部に、奥側の原稿ガイド２よりガイドローラー５で取り込まれた原稿４は、用紙９と重なった状態で、密着モジュール６に沿って移動することで、原稿面の読み取りが行われる。更に原稿４と用紙９はガイドローラー５で方向を変えられ、印刷ヘッド７のインクジェットノズル部７−１に沿って進む。この間にも原稿４は密着モジュール６に沿って進み、原稿読み取りが行われる。図６（ａ）は原稿読み取りの最初の状態、図６（ｂ）は原稿読み取りの最終に近い段階を示す。
【００４５】
一方、印刷複合機の筐体１の内部にで、用紙９は原稿４と重なった状態を保って、ガイドローラー５で方向を変えられ、印刷ヘッド７のインクジェットノズル部７−１に沿って進む。この際に用紙９への印刷が始まる（図６（ｂ））。図６（ｂ）は用紙表面印刷の最初の状態、図６（ｃ）は用紙表面印刷の最終段階を示す。
【００４６】
印刷複合機の筐体１の内部にて、印刷が完了した用紙９はガイドローラー５で、原稿４と共に外部に排出される。ここで排出される位置が、奥側の原稿ガイド２に用紙９と原稿４が排出される場合と、手前側の原稿ガイド３に用紙９と原稿４が排出される場合が排出される場合と、を共に図６（ｄ）にて図示している。
＜第２の実施形態の印刷複合機による第１の原稿読み取り実施形態＞
【００４７】
上記の第１の実施形態に係る印刷複合機での原稿読み取り実施形態に於いては、読み取り原稿としては、薄く丸まる性質を持った原稿であったが、本発明は厚手の原稿や、本のページ読み取りにも適用が可能である。以下図面を基に説明する。
【００４８】
図７（ａ）〜（ｄ）は、本発明の第２の実施形態に係る印刷複合機の構造と、第１の原稿読み取りシーケンス、及び原稿排出方法の説明図である。図７（ａ）において、第２の実施形態に係る印刷複合機の筐体１には、手前側の原稿ガイド３が張り出しており、筐体内部に密着モジュール６、印刷ヘッド７、反転ローラー８が有るところは図１（ａ）と同じである。
相違点は、筐体１の天面には原稿読み取りの為に、読み取り窓１１が開いていることと、奥側の原稿ガイド２‘、密着モジュール６‘、ガイドローラー５’‘を可動式にしたことである。
【００４９】
原稿読み取り時には、印刷複合機の筐体１の内部の可動式の密着モジュール６‘（固定式密着モジュール６と区別し表記した）を、ガイドローラー５’‘は、図７（ｂ）に示す様に、筐体１の天面の読み取り窓１１に移動する。図７（ｂ）では元の位置を破線で示している。奥側の原稿ガイド２‘も移動し、筐体１の天面とほぼ平行に配置される。図７（ｂ）に示す印刷複合機の構造を第２の実施形態に係る印刷複合機の構造と称する。
【００５０】
原稿読み取り時には、図７（ｃ）に示す様に、原稿４は表面４−１を下にして配置され、ガイドローラー５‘上に端部を配置する。原稿を読み取る為の密着モジュール６’は筐体１の天面の読み取り窓１１を介し原稿表面４−１と対向している。この状態からガイドローラー５‘を回転させ、原稿４を筐体１の天面に沿ってスライドさせることにより、密着モジュール６’にて原稿表面４−１の読み取りが開始する。
【００５１】
原稿４を筐体１の天面に沿ってスライドさせ、密着モジュール６’にて原稿表面４−１の読み取りが完了した状態を図７（ｄ）に示す。この様にガイドローラー５‘’の回転により、原稿表面４−１は密着モジュール６‘’の上を移動し、原稿の読み取りが行われる。原稿裏面４−２の読み取りは手動で原稿４を反転させて行う。
＜第２の実施形態の印刷複合機による第２の原稿読み取り実施形態＞
【００５２】
上記の第１の原稿読み取り実施形態に於いては、読み取り原稿４をガイドローラー５’‘の回転することで、筐体１の天面の読み取り窓１１に沿って原稿４を移動する方式であったが、原稿４が軽いと摩擦力で移動できない懸念が有る。この対策として以下図面を基に説明する。
【００５３】
図８（ａ）は、原稿をセットし移動するための原稿トレー１２の形状を示している。原稿トレー１２には原稿４の被読み取り領域の光学読み取りが出来る原稿トレー開口部分１３が設けられている。図８（ａ）に示す原稿トレー１２に原稿４をセットした状態を図８（ｂ）に示す。
【００５４】
図８（ａ）に示す原稿トレー１２には原稿４の被読み取り領域の光学読み取りが出来る原稿トレー開口部分１３が設けられていたが、この原稿トレー開口部分１３の代わりにガラス板１４を原稿トレー１２にはめ込んでも良い。この原稿トレーを図８（ｃ）に示す。
【００５５】
図９（ａ）、（ｂ）は本発明の第２の実施形態に係る印刷複合機の構造と、第２の原稿読み取りシーケンスの説明図である。図９（ａ）において、第２の実施形態に係る印刷複合機の筐体１の天面上には、図８（ｂ）で示すような、原稿４が搭載された原稿トレー１２が設置されている。原稿トレー１２内の原稿４の被読み取り領域（原稿表面４−１）の光学読み取りが出来るように、移動された密着モジュール６‘にて、筐体１の読み取り窓１１を介して、原稿４の被読み取り領域の読み取りが行われる。
【００５６】
移動されたガイドローラー５“は回転することにより、原稿４共々原稿トレー１２が筐体１の天面に沿って移動され、順次密着モジュール６‘にて原稿４の読み取りが行われる。図９（ｂ）は原稿読み取りの最終に近い段階を示す図である。
【００５７】
図１０（ａ）、（ｂ）は原稿４の代わりに、本１５の読み取りたい頁を原稿トレー１２内に設置した形態を示す。図１０（ａ）において、第２の実施形態に係る印刷複合機の筐体１の天面上には、本１５が搭載された原稿トレー１２が設置されている。図９（ａ）と同様に、原稿トレー１２内の本１５の被読み取り領域の光学読み取りが出来るように、移動された密着モジュール６‘にて、筐体１の読み取り窓１１を介して、原稿４の被読み取り領域の読み取りが行われる。
【００５８】
移動されたガイドローラー５“は回転することにより、本１５共々原稿トレー１２が筐体１の天面に沿って移動され、順次密着モジュール６‘にて本１５の頁の読み取りが行われる。図１０（ｂ）は原稿読み取りの最終に近い段階を示す図である。本の読み取りの場合には、ガラス板１３を原稿トレー１２にはめ込んだ、図８（ｃ）に示した様な原稿トレーの方が使い勝手が良い。
＜第２の実施形態の印刷複合機による第１の用紙印刷実施形態＞
【００５９】
上記の第２の実施形態に係る印刷複合機にて、読み取られた原稿の情報の印刷に当たっては、奥側の原稿ガイド２‘、密着モジュール６‘、ガイドローラー５’‘を移動させる必要が有る。以下図面を基に説明する。
【００６０】
図１１（ａ）〜（ｃ）は、本発明の第２の実施形態に係る印刷複合機の構造と、第１の用紙印刷の実施に当たっての予備段階を説明する図である。図１１（ａ）は図７（ｂ）に示す、第２の実施形態に係る印刷複合機の原稿読み取りモードの状態を示している。この状態から、可動式の奥側の原稿ガイド２‘、密着モジュール６‘、ガイドローラー５’‘の移動を行う。
【００６１】
用紙印刷時には、印刷複合機の筐体１の内部の可動式の密着モジュール６‘、ガイドローラー５’‘は、図１１（ｂ）に示す様に、筐体１の天面の読み取り窓１１から筐体１の内部の所定場所に移動する。図１１（ｂ）では元の位置を破線で示している。奥側の原稿ガイド２‘も筐体１の天面とほぼ平行の位置から図１１（ｂ）に示される位置（原稿ガイド２）に移動する。移動した後の状態の図１１（ｃ）は図７（ａ）に示す第２の実施形態の印刷複合機と同じ構造である。この位置の原稿ガイドを原稿ガイド２と表記する。
【００６２】
図１１（ｄ）〜（ｉ）は、本発明の第２の実施形態に係る印刷複合機による第１の用紙印刷シーケンス、及び原稿排出方法の説明図である。図１１（ｄ）において、図３（ａ）同様、印刷複合機の筐体１には、奥側の原稿ガイド２と、手前側の原稿ガイド３が張り出している。図１１（ｄ）においては、用紙９が奥側の原稿ガイド２より取り込まれる。ここで、原稿９は両面印刷を考慮し、表面９−１と裏面９−２を区別して表現する。
【００６３】
印刷複合機の筐体１の内部には、図１１（ｄ）に示す様に、用紙を移動させるための複数のガイドローラー５、５“、原稿を読み取る為の密着モジュール６‘、用紙に印刷をするための印刷ヘッド７、更に原稿や用紙を反転させるための反転ローラー８が同様に内在しており、印刷ヘッド７も同様にインクジェットノズル部７−１とインクカートリッジ７−２より構成される。
【００６４】
印刷複合機の筐体１の内部に、奥側の原稿ガイド２よりガイドローラー５、５“、反転ローラー８で取り込まれた用紙９は、密着モジュール６に沿って移動する（図１１（ｄ））。更に用紙９はガイドローラー５で方向を変えられ、印刷ヘッド７のインクジェットノズル部７−１に沿って進む。この際に用紙表面９−１への印刷が始まる（図１１（ｅ））。図１１（ｅ）は用紙表面印刷の最初の状態、図１１（ｆ）は用紙表面印刷の最終段階を示す。図示していないが、図３（ｄ）〜（ｇ）と同様なシーケンスで用紙裏面９−２への印刷が行われる。
【００６５】
印刷複合機の筐体１の内部にて、両面印刷が完了した用紙９はガイドローラー５、５“で外部に排出される。用紙９が逆方向に転送され（図１１（ｇ）、排出される位置が元の奥側の原稿ガイド２に排出される場合を図１１（ｈ）に示す。手前側の原稿ガイド３に用紙９が排出される場合は図１１（ｉ）に示しているが、複数枚の用紙の印刷を考えると、奥側の原稿ガイド２から用紙を挿入し、手前側の原稿ガイド３に排出する方が良い。
【００６６】
用紙９の取り込みは手前側の原稿ガイド３より印刷複合機の筐体１の内部に挿入し、印刷が完了した用紙９を奥側の原稿ガイド２に排出する方式でも良いし、反転ローラー８を使って図３や図４に示すシーケンスの様に両面印刷する方式でも良い。これらには全て、ガイドローラー５、５“が使用される。また図５に示す用紙トレー１０を使った印刷方式でも良い。この場合も、ガイドローラー５、５‘、５“が使われる。
【００６７】
図５（ａ）において、印刷複合機の筐体１の内部には、用紙トレー１０が配置されているが、これは印刷用のコピー用紙である必要は無く、このトレーに読み取り用の原稿を配置しても良い。原稿の読み取りは図示していないが、概念的には図１（ｄ）以降と同様である。
【００６８】
以上の図７、図１０、図１１の説明では、密着モジュール６‘の位置は原稿読み取り時とコピー用紙への印刷時には位置を移動させる構成で説明したが、密着モジュール６’の位置を移動させなくてもコピー用紙への印刷が可能な構造にすれば、密着モジュール６‘の位置の変化は必要ない。
【００６９】
以上の説明では、密着モジュールを用いた原稿読み取り方式で説明を行ってきたが、レンズ縮小タイプの原稿読み取りモジュールを用いた方式でも良いし、印刷の方式はインクジェットタイプでなくても感熱ヘッドタイプでも、レーザータイプでも良い。
【符号の説明】
【００７０】
１        筐体
２        奥側の原稿ガイド
３        手前側の原稿ガイド
４        原稿
４−１     原稿表面
４−２     原稿裏面
５、５‘、５“  ガイドローラー
６        密着モジュール
６‘        可動式の密着モジュール
７        印刷ヘッド
７−１     インクジェットノズル部
７−２     インクカートリッジ
８        反転ローラー
９        用紙
９−１     用紙表面
９−２     用紙裏面
１０       用紙トレー
１１        読み取り窓
１２        原稿トレー
１３        原稿トレー開口部
１４        ガラス板
１５        本
【図１（ａ）−（ｃ）】
2015095694.tif 000003
【図１（ｄ）−（ｆ）】
2015095694.tif 000004
【図１（ｇ）−（ｉ）】
2015095694.tif 000005
【図２（ａ）−（ｃ）】
2015095694.tif 000006
【図２（ｄ）−（ｆ）】
2015095694.tif 000007
【図２（ｇ）−（ｉ）】
2015095694.tif 000008
【図３（ａ）−（ｃ）】
2015095694.tif 000009
【図３（ｄ）−（ｆ）】
2015095694.tif 000010
【図３（ｇ）−（ｉ）】
2015095694.tif 000011
【図４（ａ）−（ｃ）】
2015095694.tif 000012
【図４（ｄ）−（ｆ）】
2015095694.tif 000013
【図４（ｇ）−（ｈ）】
2015095694.tif 000014
【図５（ａ）−（ｃ）】
2015095694.tif 000015
【図５（ｄ）−（ｆ）】
2015095694.tif 000016
【図５（ｇ）−（ｉ）】
2015095694.tif 000017
【図６（ａ）−（ｄ）】
2015095694.tif 000018
【図７（ａ）−（ｄ）】
2015095694.tif 000019
【図８（ａ）−（ｃ）】
2015095694.tif 000020
【図９（ａ）−（ｂ）】
2015095694.tif 000021
【図１０（ａ）−（ｂ）】
2015095694.tif 000022
【図１１（ａ）−（ｃ）】
2015095694.tif 000023
【図１１（ｄ）−（ｆ）】
2015095694.tif 000024
【図１１（ｇ）−（ｉ）】
2015095694.tif 000025